(57)【要約】  導風リブが本体部に一体に形成されていても、本体部の各部位において得られる衝突体への反力のばらつきを抑制する。  バンパモジュール（１０）は、車両前後方向におけるフロントバンパカバー（１２）と熱交換器（１４）との間に位置されると共に、車両幅方向及び車両前後方向に延在された本体部（１６）と、それぞれ本体部（１６）の下面に一体に形成され、車両下側に向けて延びると共に、車両前後方向に延在され、且つ、互いに車両幅方向に間隔を空けて並ぶ複数の縦リブ（１８）と、本体部（１６）の上面に一体に形成されると共に車両上側に向けて延びて車両前方からの冷却空気を熱交換器（１４）に導くと共に、前端（２０Ａ）が複数の縦リブ（１８）の前端（１８Ａ）に対して車両幅方向及び車両前後方向の少なくとも一方の方向にずれている導風リブ（２０）と、を備えている。
2012086014.tif 000002
【特許請求の範囲】
【請求項１】
車両前後方向におけるフロントバンパカバーと熱交換器との間に位置されると共に、車両幅方向及び車両前後方向に延在された本体部と、
それぞれ前記本体部の下面に一体に形成され、車両下側に向けて延びると共に、車両前後方向に延在され、且つ、互いに車両幅方向に間隔を空けて並ぶ複数の縦リブと、
前記本体部の上面に一体に形成されると共に車両上側に向けて延びて車両前方からの冷却空気を前記熱交換器に導くと共に、前端が前記複数の縦リブの前端に対して車両幅方向及び車両前後方向の少なくとも一方の方向にずれている導風リブと、
を備えたバンパモジュール。
【請求項２】
前記複数の縦リブ及び前記導風リブを含む複数のリブの前端は、それぞれ車両幅方向に等ピッチで並んでいる、
請求項１に記載のバンパモジュール。
【請求項３】
前記導風リブは、
車両前側に向かうに従って車両幅方向外側に向かう傾斜部と、
前記傾斜部の車両前側に形成された前部と、
を有している、
請求項１又は請求項２に記載のバンパモジュール。
【請求項４】
前記前部は、車両前後方向に延在されると共に、平面視にて前記複数の縦リブのうちいずれか車両幅方向に隣り合う一対の縦リブの間の中央部に位置されている、
請求項３に記載のバンパモジュール。
【請求項５】
前記複数の縦リブの前端は、前記本体部の前端よりも車両後側に位置されている、
請求項１〜請求項４のいずれか一項に記載のバンパモジュール。
【請求項６】
前記導風リブは、平面視にて前記複数の縦リブの前端よりも車両前側に位置すると共に、前記本体部の前端に向けて延びる前部を有している、
請求項５に記載のバンパモジュール。
【発明の詳細な説明】
【技術分野】
【０００１】
本発明は、バンパモジュールに関する。
【背景技術】
【０００２】
従来、上側カバー部材と、下側カバー部材と、左右両側の導風ガイドプレートとで、車両前側からの冷却空気をラジエータコアサポートに搭載されたラジエータに導入するエアダクト部が形成された自動車の車体前部構造が知られている。（例えば、特許文献１参照）。この構造において、下側カバー部材には、剛性を確保するために、車両幅方向に間隔を空けて複数の縦リブ壁が一体に形成されている。
【先行技術文献】
【特許文献】
【０００３】
【特許文献１】特開２００３−３０６０４７号公報
【発明の概要】
【発明が解決しようとする課題】
【０００４】
しかしながら、上記構造では、導風ガイドプレートが下側カバー部材と別体に構成されている。従って、部品点数が増加し、コストアップとなる。【０００５】
ここで、部品点数の増加を抑えるために、導風ガイドプレートを下側カバー部材と一体に成形することも考えられる。ところが、この場合には、導風ガイドプレートがダクト機能の他にロアアブソーバ機能を持ち合わせることになる。つまり、ロアアブソーバとして機能する下側カバー部材に車両前側から衝突体による衝突荷重が作用した場合には、この衝突荷重に対して導風ガイドプレートが反力を発生することになる。【０００６】
しかしながら、衝突体の衝突荷重をより効果的に吸収するためには、下側カバー部材における導風ガイドプレートが位置する部位において衝突体への反力が局所的に高くならないこと、換言すれば、本体部の各部位において得られる衝突体への反力のばらつきが小さいことが望ましい。【０００７】
本発明は、上記課題に鑑みてなされたものであって、その目的は、導風リブが本体部に一体に形成されていても、本体部の各部位において得られる衝突体への反力のばらつきを抑制することができるバンパモジュールを提供することにある。
【課題を解決するための手段】
【０００８】
前記課題を解決するために、本発明の第一態様に係るバンパモジュールは、車両前後方向におけるフロントバンパカバーと熱交換器との間に位置されると共に、車両幅方向及び車両前後方向に延在された本体部と、それぞれ前記本体部の下面に一体に形成され、車両下側に向けて延びると共に、車両前後方向に延在され、且つ、互いに車両幅方向に間隔を空けて並ぶ複数の縦リブと、前記本体部の上面に一体に形成されると共に車両上側に向けて延びて車両前方からの冷却空気を前記熱交換器に導くと共に、前端が前記複数の縦リブの前端に対して車両幅方向及び車両前後方向の少なくとも一方の方向にずれている導風リブと、を備えている。【０００９】
このバンパモジュールによれば、導風リブは、本体部の上面に一体に形成されている。従って、導風リブが本体部と別体に構成された場合に比して、部品点数の増加を抑えることができるので、コストダウンすることができる。【００１０】
また、この導風リブは、前端が複数の縦リブの前端に対して車両幅方向及び車両前後方向の少なくとも一方の方向にずれている。従って、例えば、導風リブの前端の位置が複数の縦リブのうちいずれかの縦リブの前端の位置と車両幅方向及び車両前後方向に一致する場合に比して、本体部における導風リブの前端が位置する部位の剛性を抑えることができる。これにより、本体部に車両前側から衝突体による衝突荷重が作用した場合でも、本体部における導風リブの前端が位置する部位において衝突体への反力が局所的に高くなることを抑制することができる。この結果、本体部の各部位において得られる衝突体への反力のばらつきを抑制することができる。【００１１】
本発明の第二態様に係るバンパモジュールは、本発明の第一態様に係るバンパモジュールにおいて、前記複数の縦リブ及び前記導風リブを含む複数のリブの前端が、それぞれ車両幅方向に等ピッチで並んだ構成とされている。【００１２】
このバンパモジュールによれば、複数の縦リブ及び導風リブを含む複数のリブの前端がそれぞれ車両幅方向に不等ピッチで並ぶ場合に比して、本体部の各部位における剛性のばらつきを抑制することができる。これにより、本体部の各部位において得られる衝突体への反力のばらつきをより一層抑制することができる。【００１３】
本発明の第三態様に係るバンパモジュールは、本発明の第一態様又は第二態様に係るバンパモジュールにおいて、前記導風リブが、車両前側に向かうに従って車両幅方向外側に向かう傾斜部と、前記傾斜部の車両前側に形成された前部とを有する構成とされている。【００１４】
このバンパモジュールによれば、車両前方からの冷却空気を熱交換器に円滑に導けるように傾斜部の傾斜角度や長さ等を設定した場合でも、前部の延在方向や長さ等を変更するだけで、導風リブの前端を各縦リブの前端に対して車両幅方向及び車両前後方向の少なくとも一方の方向にずらすことができる。【００１５】
本発明の第四態様に係るバンパモジュールは、本発明の第三態様に係るバンパモジュールにおいて、前記前部が、車両前後方向に延在されると共に、平面視にて前記複数の縦リブのうちいずれか車両幅方向に隣り合う一対の縦リブの間の中央部に位置された構成とされている。【００１６】
このバンパモジュールによれば、前部の車両幅方向両側に位置された一対の縦リブの一方側と他方側とで、剛性を均一化することができ、ひいては、衝突体への反力を均一化することができる。【００１７】
本発明の第五態様に係るバンパモジュールは、本発明の第一態様〜第四態様のいずれか一つのバンパモジュールにおいて、前記複数の縦リブの前端が、前記本体部の前端よりも車両後側に位置された構成とされている。【００１８】
このバンパモジュールによれば、各縦リブとフロントバンパカバーとの間には、緩衝エリアが確保されるので、バンパモジュールの衝撃吸収性を高めることができる。【００１９】
本発明の第六態様に係るバンパモジュールは、本発明の第五態様に係るバンパモジュールにおいて、前記導風リブが、平面視にて前記複数の縦リブの前端よりも車両前側に位置すると共に、前記本体部の前端に向けて延びる前部を有する構成とされている。【００２０】
このバンパモジュールによれば、導風リブの前端とフロントバンパカバーとの隙間を狭めることができる。従って、フロントバンパカバーに形成された開口部を通じて車両前方から流れる冷却空気が導風リブとフロントバンパカバーとの間から漏れることを抑制することができる。これにより、空力性能を向上させることができると共に、冷却空気を熱交換器に円滑に導くことができる。
【発明の効果】
【００２１】
以上詳述したように、本発明のバンパモジュールによれば、導風リブが本体部に一体に形成されていても、本体部の各部位において得られる衝突体への反力のばらつきを抑制することができる。
【図面の簡単な説明】
【００２２】
【図１】本発明の一実施形態に係るバンパモジュールと、フロントバンパカバー及び熱交換器との分解斜視図である。
【図２】図１に示されるバンパモジュールにおける前側壁部を除いた状態での要部拡大斜視図である。
【図３】図２に示されるバンパモジュールの要部における正面図である。
【図４】図１に示されるバンパモジュールの第一変形例を示す前側壁部を除いた状態での要部拡大正面図である。
【図５】図１に示されるバンパモジュールの第二変形例を示す要部拡大平面図である。
【図６】図１に示されるバンパモジュールの第三変形例を示す要部拡大平面図である。
【図７】図１に示されるバンパモジュールの第四変形例を示す要部拡大平面図である。
【図８】図１に示されるバンパモジュールの第五変形例を示す要部拡大平面図である。
【図９】図１に示されるバンパモジュールの第六変形例を示す要部拡大平面図である。
【図１０】図１に示されるバンパモジュールの第七変形例を示す要部拡大平面図である。
【図１１】図１に示されるバンパモジュールの第八変形例を示す要部拡大平面図である。
【図１２】図１に示されるバンパモジュールの第九変形例を示す要部拡大平面図である。
【図１３】図１に示されるバンパモジュールの第十変形例を示す要部拡大平面図である。
【図１４】第一比較例に係るバンパモジュールの要部拡大平面図である。
【図１５】第二比較例に係るバンパモジュールの要部拡大平面図である。
【図１６】第三比較例に係るバンパモジュールの要部拡大平面図である。
【発明を実施するための形態】
【００２３】
以下、図面を参照しながら、本発明の一実施形態について説明する。
【００２４】
なお、各図において示される矢印ＵＰ、矢印ＦＲ、矢印ＬＨは、車両上下方向上側、車両前後方向前側、車両幅方向左側をそれぞれ示している。
【００２５】
図１に示されるように、本発明の一実施形態に係るバンパモジュール１０は、車両前後方向におけるフロントバンパカバー１２と熱交換器１４との間に配置されており、フロントバンパカバー１２及び車体の少なくとも一方に固定されている。このバンパモジュール１０は、全体が樹脂で形成されており、本体部１６と、複数の縦リブ１８と、一対の導風リブ２０とを備えている。
【００２６】
本体部１６は、車両幅方向及び車両前後方向に延在されており、平面視にて略四角形の板状に形成されている。本体部１６の前端１６Ｃには、車両下側に向けて延びる前側壁部２２が一体に形成されている。この前側壁部２２は、車両幅方向に延在されており、後述する複数の縦リブ１８の前端を連結している。
【００２７】
複数の縦リブ１８は、それぞれ本体部１６の下面１６Ａに一体に形成されている。この複数の縦リブ１８は、それぞれ車両下側に向けて延びると共に、車両前後方向に延在されている。また、この複数の縦リブ１８は、本体部１６の車両幅方向一方側の端部から他方側の端部に亘って、互いに車両幅方向に間隔を空けて並んでいる。なお、図１においては、理解の容易のために、複数の縦リブ１８における互いの間隔と、縦リブ１８及び後述する導風リブ２０のそれぞれの幅（厚み）が誇張して示されている。
【００２８】
一対の導風リブ２０は、本体部１６の上面１６Ｂに一体に形成されている。この一対の導風リブ２０は、車両上側に向けて延びると共に、車両前後方向に延在されている。また、この一対の導風リブ２０は、熱交換器１４の車両幅方向両側に位置されており、フロントバンパカバー１２に形成された下側開口部２４及び上側開口部２６から導入された車両前方からの冷却空気を熱交換器１４に導く構成とされている。
【００２９】
なお、下側開口部２４は、正面視にて一対の導風リブ２０の間に収まる大きさで形成されている。この下側開口部２４には、ロアグリル２８が設けられている。また、上側開口部２６には、アッパグリル３０が設けられている。このロアグリル２８及びアッパグリル３０は、上述のバンパモジュール１０と一体に形成されていても良い。
【００３０】
また、図２に示されるように、このバンパモジュール１０には、車両幅方向に延びる横リブ３２が形成されている。そして、複数の縦リブ１８のうち車両幅方向に隣り合う一対の縦リブ１８は、この横リブ３２によって連結されている。
【００３１】
また、図３に示されるように、導風リブ２０は、複数の縦リブ１８のそれぞれに対して車両幅方向にずれている。つまり、換言すれば、導風リブ２０は、複数の縦リブ１８のうちいずれか車両幅方向に隣り合う一対の縦リブ１８の間に位置されている。そして、この一対の縦リブ１８の一方と導風リブ２０とのピッチＰ１と、一対の縦リブ１８の他方と導風リブ２０とのピッチＰ２とは、異なって設定されている。また、複数の縦リブ１８は、等しいピッチＰで並んでいる。
【００３２】
なお、ここでは、図１に示される一対の導風リブ２０の一方について説明したが、バンパモジュール１０は、車両幅方向中央部を中心とした面対称状に形成されている。従って、一対の導風リブ２０の他方については、一対の導風リブ２０の一方と同様の構成とされているので、説明を省略する。
【００３３】
また、上述の熱交換器１４は、エンジンの冷却水を冷やすためのものであるが、その他にも、例えば、電気自動車等における空調装置用のクーラーコンデンサ等でも良い。
【００３４】
次に、本発明の一実施形態の効果について説明する。
【００３５】
先ず、本発明の一実施形態の効果を明確にするために、比較例について説明する。なお、各比較例では、比較の容易のために、本実施形態と同一の符合を用いる。
【００３６】
図１４に示される第一比較例では、導風リブ２０が、いずれかの縦リブ１８と平面視にて一致している。この導風リブ２０の前端２０Ａの位置は、いずれかの縦リブ１８の前端１８Ａの位置と車両幅方向及び車両前後方向に一致している。
【００３７】
また、図１５に示される第二比較例では、導風リブ２０が車両前側に向かうに従って車両外側に向かうように車両前後方向に対して傾斜されている。ところが、導風リブ２０の前端２０Ａの位置は、いずれかの縦リブ１８の前端１８Ａの位置と車両幅方向及び車両前後方向に一致している。
【００３８】
さらに、図１６に示される第三比較例では、導風リブ２０が車両前側に向かうに従って車両外側に向かうように車両前後方向に対して傾斜する傾斜部２０Ｂと、傾斜部２０Ｂの車両前側に形成されると共に、車両前後方向に延在する前部２０Ｃとを有している。ところが、導風リブ２０の前端２０Ａの位置は、いずれかの縦リブ１８の前端１８Ａの位置と車両幅方向及び車両前後方向に一致している。
【００３９】
ところが、以上の比較例のように、導風リブ２０の前端２０Ａの位置がいずれかの縦リブ１８の前端１８Ａの位置と車両幅方向及び車両前後方向に一致していると、次の問題がある。つまり、ロアアブソーバとして機能する本体部１６に車両前側から衝突体による衝突荷重が作用した場合には、この本体部１６における導風リブ２０の前端２０Ａが位置する部位において衝突体への反力が局所的に高くなる虞がある。そして、この場合には、本体部１６の各部位において得られる衝突体への反力にばらつきが生じる虞がある。
【００４０】
これに対し、図３に示されるように、本発明の一実施形態に係るバンパモジュール１０によれば、前端２０Ａを含む導風リブ２０の全体は、複数の縦リブ１８のそれぞれに対して車両幅方向にずれている。従って、上述の第一乃至第三比較例のように、導風リブ２０の前端２０Ａの位置がいずれかの縦リブ１８の前端１８Ａの位置と車両幅方向及び車両前後方向に一致する場合に比して、本体部１６における導風リブ２０が位置する部位の剛性を抑えることができる。これにより、本体部１６に車両前側から衝突体による衝突荷重が作用した場合でも、本体部１６における導風リブ２０が位置する部位において衝突体への反力が局所的に高くなることを抑制することができる。この結果、本体部１６の各部位において得られる衝突体への反力のばらつきを抑制することができる。
【００４１】
また、導風リブ２０は、本体部１６の上面１６Ｂに一体に形成されている。従って、導風リブ２０が本体部１６と別体に構成された場合に比して、部品点数の増加を抑えることができるので、コストダウンすることができる。
【００４２】
次に、本発明の一実施形態の変形例について説明する。
【００４３】
図４に示されるように、複数の縦リブ１８及び導風リブ２０を含む複数のリブは、それぞれ車両幅方向に等ピッチで並んでいても良い。つまり、この変形例において、導風リブ２０は、複数の縦リブ１８のうちいずれか車両幅方向に隣り合う一対の縦リブ１８の中央部に位置されている。そして、この一対の縦リブ１８の一方と導風リブ２０とのピッチＰ１と、一対の縦リブ１８の他方と導風リブ２０とのピッチＰ２とは、同一に設定されている。また、複数の縦リブ１８のうち導風リブ２０に対して車両幅方向にずれると共に互いに車両幅方向に隣り合う一対の縦リブ１８同士のピッチＰ３は、同一に設定されている。
【００４４】
この変形例によれば、複数の縦リブ１８及び導風リブ２０を含む複数のリブがそれぞれ車両幅方向に不等ピッチで並ぶ場合に比して、本体部１６の各部位における剛性のばらつきを抑制することができる。これにより、本体部１６の各部位において得られる衝突体への反力のばらつきをより一層抑制することができる。
【００４５】
なお、複数の縦リブ１８及び導風リブ２０を含む複数のリブには、複数の縦リブ１８及び導風リブ２０以外のリブ、例えば、本体部１６の上面１６Ｂに形成されて車両前側からの冷却空気を整流する整流リブや、本体部１６の上面１６Ｂに形成されて本体部１６を補強する補強リブ等が含まれても良い。
【００４６】
また、図１〜図３に示される本発明の一実施形態及び図４に示される変形例において、導風リブ２０は、前端２０Ａを含む全体が各縦リブ１８に対して車両幅方向にずれていた。しかしながら、本体部１６の各部位において得られる衝突体への反力のばらつきを抑制するためには、少なくとも導風リブ２０の前端２０Ａが複数の縦リブ１８の前端１８Ａに対して車両幅方向及び車両前後方向の少なくとも一方の方向にずれていれば良い。また、複数の縦リブ１８及び導風リブ２０における前端１８Ａ，２０Ａよりも車両後側の部分は、互いのどのような位置関係になっていても良い。
【００４７】
以下、導風リブ２０の前端２０Ａが複数の縦リブ１８の前端１８Ａに対して車両幅方向及び車両前後方向の少なくとも一方の方向にずれている変形例を示す。なお、以下の図５〜図１３に示される変形例においては、理解の容易のために、導風リブ２０及び縦リブ１８における車両前後方向の長さが縮められた状態で示されると共に、導風リブ２０又はこの導風リブに形成された傾斜部の傾斜角度が誇張された状態で示されている。
【００４８】
例えば、図５に示される導風リブ２０は、車両前側に向かうに従って車両外側に向かうように車両前後方向に対して傾斜されており、平面視にていずれかの縦リブ１８と交差している。また、特に図示しないが、この導風リブ２０の前端２０Ａは、いずれの縦リブの前端に対しても車両幅方向にずれている。
【００４９】
なお、この図５に示される変形例において、導風リブ２０は、平面視にてその他の図示しないいくつかの縦リブと交差していても良く、また、交差していなくても良い。また、導風リブ２０は、図６に示されるように、平面視にて上述のいずれかの縦リブ１８と交差していなくても良い。また、図６に示されるように、導風リブ２０の前端２０Ａは、縦リブ１８の前端１８Ａよりも車両後側に位置されていても良い。
【００５０】
この図５、図６に示される変形例によれば、上述の本発明の一実施形態と同様の効果に加え、導風リブ２０が傾斜されることにより、空力性能を向上させることができると共に、冷却空気を熱交換器１４に円滑に導くことができるという効果を得ることができる。
【００５１】
また、図７に示される導風リブ２０は、車両前側に向かうに従って車両幅方向外側に向かう傾斜部２０Ｂと、傾斜部２０Ｂの車両前側に形成された前部２０Ｃとを有している。傾斜部２０Ｂは、特に図示しないが、平面視にていくつかの縦リブと交差している。一方、前部２０Ｃは、いずれの縦リブに対しても車両幅方向にずれている。なお、この変形例において、前部２０Ｃは、車両前後方向に延在されているが、傾斜部２０Ｂと同様に傾斜されていても良い。また、導風リブ２０の前端２０Ａは、縦リブ１８の前端１８Ａよりも車両後側に位置されていても良い。
【００５２】
この図７に示される変形例によれば、上述の本発明の一実施形態と同様の効果に加え、次の効果を得ることができる。つまり、この変形例によれば、車両前方からの冷却空気を熱交換器１４に円滑に導けるように傾斜部２０Ｂの傾斜角度や長さ等を設定した場合でも、前部２０Ｃの延在方向や長さ等を変更するだけで、導風リブ２０の前端２０Ａを各縦リブ１８の前端１８Ａに対して車両幅方向及び車両前後方向の少なくとも一方の方向にずらすことができる。
【００５３】
なお、この図７に示される変形例において、導風リブ２０の前部２０Ｃは、図８に示されるように、車両前後方向に延在されると共に、平面視にていずれか車両幅方向に隣り合う一対の縦リブ１８の間の中央部に位置されていても良い。
【００５４】
この変形例によれば、前部２０Ｃの車両幅方向両側に位置された一対の縦リブ１８の一方側と他方側とで、剛性を均一化することができ、ひいては、衝突体への反力を均一化することができる。
【００５５】
また、図９〜図１１に示される変形例では、各縦リブ１８の前端１８Ａが本体部１６の前端１６Ｃよりも車両後側に位置されている。一方、導風リブ２０の前部２０Ｃは、平面視にて各縦リブ１８の前端１８Ａよりも車両前側に位置すると共に、本体部１６の前端１６Ｃに向けて延びている。
【００５６】
なお、前部２０Ｃは、図９，図１０に示されるように、傾斜部２０Ｂと同様に、車両前側に向かうに従って車両幅方向外側に向かうように車両前後方向に対して傾斜されていても良い。また、前部２０Ｃは、図１１に示されるように、車両前後方向に延在されていても良い。また、導風リブ２０の前端２０Ａは、本体部１６の前端１６Ｃと一致していても良い。
【００５７】
また、導風リブ２０は、図９に示されるように、平面視にて縦リブ１８と交差しなくても良く、図１０，図１１に示されるように、平面視にて縦リブ１８と交差していても良い。また、図１０，図１１に示されるように、縦リブ１８の前端１８Ａは、平面視にて導風リブ２０と重なる位置に位置されていても良い。
【００５８】
この変形例によれば、上述の本発明の一実施形態と同様の効果に加え、次の効果を得ることができる。つまり、各縦リブ１８の前端１８Ａは、本体部１６の前端１６Ｃよりも車両後側に位置されている。従って、各縦リブ１８とフロントバンパカバー１２との間には、緩衝エリア３４が確保されるので、バンパモジュール１０の衝撃吸収性を高めることができる。
【００５９】
また、導風リブ２０は、平面視にて各縦リブ１８の前端１８Ａよりも車両前側に位置すると共に、本体部１６の前端１６Ｃに向けて延びる前部２０Ｃを有している。このように構成されていると、導風リブ２０の前端２０Ａとフロントバンパカバー１２との隙間を狭めることができるので、上述の下側開口部２４や上側開口部２６（図１参照）を通じて車両前方から流れる冷却空気が導風リブ２０とフロントバンパカバー１２との間から漏れることを抑制することができる。これにより、空力性能を向上させることができると共に、冷却空気を熱交換器１４に円滑に導くことができる。
【００６０】
また、例えば、図１２，図１３に示される変形例のように、導風リブ２０とフロントバンパカバー１２との間からの冷却空気の漏れが許容される範囲内であれば、導風リブ２０の前端２０Ａが各縦リブ１８の前端１８Ａに対して車両後側に位置されていても良い。
【００６１】
なお、図１２，図１３に示される変形例では、各縦リブ１８の前端１８Ａがフロントバンパカバー１２に近接されている。一方、導風リブ２０の前端２０Ａは、いずれかの縦リブ１８の前端１８Ａと車両幅方向の位置が一致している。
【００６２】
この図１２，図１３に示される変形例によっても、上述の本発明の一実施形態と同様の効果を得ることができる。
【００６３】
なお、上記各変形例のうち組み合わせ可能な変形例は、適宜組み合わされて実施可能である。
【００６４】
以上、本発明の一実施形態について説明したが、本発明は、上記に限定されるものでなく、上記以外にも、その主旨を逸脱しない範囲内において種々変形して実施可能であることは勿論である。
【図１】
2012086014.tif 000003
【図２】
2012086014.tif 000004
【図３】
2012086014.tif 000005
【図４】
2012086014.tif 000006
【図５】
2012086014.tif 000007
【図６】
2012086014.tif 000008
【図７】
2012086014.tif 000009
【図８】
2012086014.tif 000010
【図９】
2012086014.tif 000011
【図１０】
2012086014.tif 000012
【図１１】
2012086014.tif 000013
【図１２】
2012086014.tif 000014
【図１３】
2012086014.tif 000015
【図１４】
2012086014.tif 000016
【図１５】
2012086014.tif 000017
【図１６】
2012086014.tif 000018
【国際調査報告】
2012086014.tif 000019
2012086014.tif 000020
2012086014.tif 000021
2012086014.tif 000022